(57)【要約】【課題】忘れ物を検知し忘れ物の位置情報を表示する。【解決手段】忘れ物通知システムは、部屋１３０毎に設置され物品のＩＤ情報無線デバイス１０からＩＤ情報を読み出すＩＤ情報読出装置２０ａ，２０ｂと、当該ＩＤ情報を各部屋１３０の位置情報に関係付けて記憶する物品位置情報記録領域３０と、外出者の持ち物リストを記憶する持ち物リスト情報記録領域４０と、玄関１２０に設置され外出者１１０の外出を検知する外出情報検知部７０ａと、外出者１１０の所持品のＩＤ情報無線デバイス１０からＩＤ情報を読み出すＩＤ情報読出装置８０と、外出者１１０の所持品のＩＤ情報と持ち物リストのＩＤ情報とを照合することで忘れ物を検出し、当該忘れ物の位置情報を物品位置情報記録領域３０から取得するコンピュータ６０と、取得した忘れ物の位置情報を表示するタッチパネル付きモニタ端末９０とを備えている。【選択図】図１
2017004196.tif 000002
【特許請求の範囲】
【請求項１】
各物品に設けられ、前記物品を識別するためのＩＤ情報を記憶するＩＤ情報無線デバイスと、
複数の区画に区分された建物内の各区画ごとに設置され、対応する前記区画内を無線通信有効範囲とし、当該無線通信有効範囲内に存在する前記物品に設けられた前記ＩＤ情報無線デバイスから前記ＩＤ情報を読み出す第１のＩＤ情報読出装置と、
各前記第１のＩＤ情報読出装置により取得された前記物品の前記ＩＤ情報を、その第１のＩＤ情報読出装置が設置されている区画の位置情報に関係付けて記憶する物品位置データベースと、
外出者が外出時に所持すべき物品のＩＤ情報を持ち物リストとして記憶する持ち物リストデータベースと、
前記建物の玄関が設置された区画に設置され、前記外出者の外出を検知する外出情報検知部と、
前記玄関が設置された区画に設置され、前記外出情報検知部により外出が検知された前記外出者が所持する物品の前記ＩＤ情報無線デバイスから前記ＩＤ情報を読み出す、第２のＩＤ情報読出装置と、
前記第２のＩＤ情報読出装置により取得した前記物品の前記ＩＤ情報と、前記持ち物リストデータベースの前記持ち物リストの前記物品のＩＤ情報とを照合することで、前記外出者が所持していない物品を忘れ物として検出する忘れ物検出部と、
前記忘れ物検出部によって忘れ物として検出された前記物品が存在する前記区画の位置情報を、前記物品位置データベースから取得する位置情報取得部と、
前記位置情報取得部により取得した前記忘れ物として検出された前記物品が存在する前記区画の位置情報を表示する忘れ物位置通知部と
を備えた、忘れ物通知システム。
【請求項２】
前記玄関が設置された区画に設置され、前記外出者が外出先情報を入力する外出先入力部をさらに備え、
前記持ち物リストデータベースは、外出先の外出先情報ごとに、前記外出者が外出時に所持すべき物品のＩＤ情報を前記持ち物リストとして記憶しており、
前記忘れ物検出部は、前記外出先入力部に入力された前記外出先情報に対応する前記持ち物リストを、前記持ち物リストデータベースから取得し、前記第２のＩＤ情報読出装置により取得した前記物品の前記ＩＤ情報と、当該持ち物リストの前記物品のＩＤ情報とを照合することで、前記外出者が所持していない物品を忘れ物として検出する
請求項１に記載の忘れ物通知システム。
【請求項３】
前記玄関が設置された区画に設置され、前記外出者の顔認識を行って前記外出者を特定するカメラをさらに備え、
前記持ち物リストデータベースは、外出者の個人ＩＤ情報ごとに、前記外出者が外出時に所持すべき物品のＩＤ情報を前記持ち物リストとして記憶しており、
前記忘れ物検出部は、前記カメラの顔認識により特定された前記外出者の個人ＩＤ情報に対応する前記持ち物リストを、前記持ち物リストデータベースから取得し、前記第２のＩＤ情報読出装置により取得した前記物品の前記ＩＤ情報と、当該持ち物リストの前記物品のＩＤ情報とを照合することで、前記外出者が所持していない物品を忘れ物として検出する
請求項１に記載の忘れ物通知システム。
【請求項４】
前記玄関が設置された区画に設置され、前記外出情報検知部により外出が検知された前記外出者が所持する物品の中に外出先を特定するためのキーとして予め登録されている物品がある場合に、当該キーとなる物品に設けられた前記ＩＤ情報無線デバイスから前記ＩＤ情報を読み出す第３のＩＤ情報読出装置を備え、
前記持ち物リストデータベースは、前記外出先を特定するためのキーとして予め登録されている前記物品のＩＤ情報ごとに、前記外出者が外出時に所持すべき物品のＩＤ情報を前記持ち物リストとして記憶しており、
前記忘れ物検出部は、前記第３のＩＤ情報読出装置により取得した前記キーとなる前記物品のＩＤ情報に対応する前記持ち物リストを、前記持ち物リストデータベースから取得し、前記第２のＩＤ情報読出装置により取得した前記物品の前記ＩＤ情報と、当該持ち物リストの前記物品のＩＤ情報とを照合することで、前記外出者が所持していない物品を忘れ物として検出する
請求項１に記載の忘れ物通知システム。
【発明の詳細な説明】
【技術分野】
【０００１】
本発明は、忘れ物通知システムに関し、特に、無線デバイスを使用して外出時の忘れ物通知を行うための忘れ物通知システムに関するものである。
【背景技術】
【０００２】
忘れ物を通知するシステムとして、無線デバイスなどの送受信機を利用したシステムが開発されている。たとえば、手荷物に予め非接触ＩＣタグを設けておくことで、建物の内部に設けられた持ち物預かり所に手荷物を預け、帰る際にその手荷物を受け取るのを忘れた場合においても、出入口でそのことを検知して、建物のドアから出ようとする際に忘れ物があることを知らせてくれる忘れ物通知システムが提案されている（たとえば、特許文献１参照）。
【０００３】
また、ＲＦＩＤ（Radio Frequency IDentification）リーダーを搭載した携帯端末を用いて、スケジュールの実行に不足する物品を表示するとともに、スケジュールの実行時刻になると、不足している物品があることを知らせてくれる物品管理方法が提案されている（たとえば、特許文献２参照）。
【先行技術文献】
【特許文献】
【０００４】
【特許文献１】特開２００８−１４０１９６号公報
【特許文献２】特開２００８−２２５７５１号公報
【発明の概要】
【発明が解決しようとする課題】
【０００５】
しかし、特許文献１の方法によると、持ち物預かり所に忘れ物をした場合には、忘れ物をしたことを知らせてくれるが、持ち物預かり所以外での忘れ物については情報を得ることができないという問題点があった。したがって、建物内部のどこで忘れ物をしてしまったかわからない場合、その忘れ物を捜すことに手間取ってしまうことが予想される。
【０００６】
また、特許文献２の物品管理方法を忘れ物通知システムに適用した場合を想定する。その場合には、忘れ物の有無を通知してくれるだけで、その忘れ物がどこに存在しているか
については通知してくれない。従って、特許文献１と同様に、忘れ物を捜すことに手間取ってしまうことが予想される。
【０００７】
本発明は、かかる問題点を解決するようにしたものであり、建物を複数の区画に区分しておき、当該建物から外へ出ようとする時に、忘れ物があることを検知するだけでなく、その忘れ物の存在場所を通知することが可能な、忘れ物通知システムを提供することを目的とする。
【課題を解決するための手段】
【０００８】
この発明は、各物品に設けられ、前記物品を識別するためのＩＤ情報を記憶するＩＤ情報無線デバイスと、複数の区画に区分された建物内の各区画ごとに設置され、対応する前記区画内を無線通信有効範囲とし、当該無線通信有効範囲内に存在する前記物品に設けられた前記ＩＤ情報無線デバイスから前記ＩＤ情報を読み出す第１のＩＤ情報読出装置と、各前記第１のＩＤ情報読出装置により取得された前記物品の前記ＩＤ情報を、その第１のＩＤ情報読出装置が設置されている区画の位置情報に関係付けて記憶する物品位置データベースと、外出者が外出時に所持すべき物品のＩＤ情報を持ち物リストとして記憶する持ち物リストデータベースと、前記建物の玄関が設置された区画に設置され、前記外出者の外出を検知する外出情報検知部と、前記玄関が設置された区画に設置され、前記外出情報検知部により外出が検知された前記外出者が所持する物品の前記ＩＤ情報無線デバイスから前記ＩＤ情報を読み出す、第２のＩＤ情報読出装置と、前記第２のＩＤ情報読出装置により取得した前記物品の前記ＩＤ情報と、前記持ち物リストデータベースの前記持ち物リストの前記物品のＩＤ情報とを照合することで、前記外出者が所持していない物品を忘れ物として検出する忘れ物検出部と、前記忘れ物検出部によって忘れ物として検出された前記物品が存在する前記区画の位置情報を、前記物品位置データベースから取得する位置情報取得部と、前記位置情報取得部により取得した前記忘れ物として検出された前記物品が存在する前記区画の位置情報を表示する忘れ物位置通知部とを備えた、忘れ物通知システムである。
【発明の効果】
【０００９】
本発明によれば、建物を複数の区画に区分しておき、各区画を無線通信有効範囲とする第１のＩＤ情報読出装置が、各区画内に存在する物品のＩＤ情報無線デバイスのＩＤ情報を読み取ることで、各物品の現在の位置情報を取得し、物品位置データベースを常に更新しておくことができる。また、そうして、外出者の外出時に、玄関がある区画に設置された第２のＩＤ情報読出装置によって、外出者が所持する物品のＩＤ情報無線デバイスのＩＤ情報を読み取り、持ち物リストデータベースの持ち物リストと照合することで忘れ物を検知し、忘れ物があれば、物品位置データベースから、当該物品の位置情報を検索して表示するようにしたので、外出者が当該建物から外へ出ようとする時に、忘れ物があることを検知するだけでなく、その忘れ物の位置情報を外出者に通知することができる。
【図面の簡単な説明】
【００１０】
【図１】本発明の実施の形態１に係る忘れ物通知システムの概要を説明するシステム構成図である。
【図２】本発明の実施形態に係る忘れ物通知システムの物品位置情報記録領域３０に登録される物品位置情報（物品位置データベース）を示す図である。
【図３】本発明の実施の形態１に係る忘れ物通知システムの持ち物リスト情報記録領域４０に記憶された持ち物リスト情報（外出先対応の持ち物リストデータベース）を示す図である。
【図４】本発明の実施の形態１に係る忘れ物通知システムの処理手順を説明するフローチャートである。
【図５】本発明の実施の形態２に係る忘れ物通知システムの概要を説明するシステム構成図である。
【図６】本発明の実施の形態２に係る忘れ物通知システムの持ち物リスト情報記録領域４０に記録された持ち物リスト情報（外出者対応の持ち物リストデータベース）を示す図である。
【図７】本発明の実施の形態２に係る忘れ物通知システムの処理手順を説明するフローチャートである。
【図８】本発明の実施の形態３に係る忘れ物通知システムの概要を説明するシステム構成図である。
【図９】本発明の実施の形態３に係る忘れ物通知システムの持ち物リスト情報記録領域４０に記録された持ち物リスト情報（キー物品対応の持ち物リストデータベース）を示す図である。
【図１０】本発明の実施の形態３に係る忘れ物通知システムの処理手順を説明するフローチャートである。
【発明を実施するための形態】
【００１１】
実施の形態１．
図１は、本発明を実施するための実施の形態１に係る忘れ物通知システムの概要を説明するシステム概略構成図である。図１に示すように、自宅１は、玄関１２０が設けられた部屋１３０ｃと、その奥に設けられた部屋１３０ａと部屋１３０ｂとから構成されているものとする。このように、自宅１である建物は、部屋１３０ａ，１３０ｂ，１３０ｃという複数の区画に区分されている。さらに、自宅１には、屋根裏１３０ｄが設けられているが、本実施の形態においては、屋根裏１３０ｄは、各区画には、含まないものとして説明する。
【００１２】
自宅１に居住する住人の各物品には、ＩＤ情報無線デバイス１０が設けられている。図１の例では、サイフ１５０にＩＤ情報無線デバイス１０ａが設けられ、社員証１６０にはＩＤ情報無線デバイス１０ｂが設けられ、鞄１４０にはＩＤ情報無線デバイス１０ｃが設けられ、携帯端末１７０にはＩＤ情報無線デバイス１０ｄが設けられている。これらの各ＩＤ情報無線デバイス１０には、対応する物品を識別するためのＩＤ情報が予め記憶されている。なお、ＩＤ情報無線デバイス１０としては、ＲＦＩＤ等の既存のＩＤタグのいずれも用いることができる。
【００１３】
玄関１２０が設置された部屋１３０ｃには、ＩＤ情報読出装置８０が設置されている。ＩＤ情報読出装置８０の無線通信有効範囲は、部屋１３０ｃ内である。ＩＤ情報読出装置８０は、部屋１３０ｃ内に居る外出者が所持する各物品に設けられたＩＤ情報無線デバイス１０から、当該ＩＤ情報無線デバイス１０に記憶されたＩＤ情報を読み取る。
また、玄関１２０が設置された部屋１３０ｃには、外出時に外出者１１０が操作するタッチパネル付きモニタ端末９０が置かれている。
また、玄関１２０が設置された部屋１３０ｃには、コンピュータ６０に接続されるとともに、タッチパネル付きモニタ端末９０からの無線信号を受信する外出情報検知部７０ａが設置されている。外出情報検知部７０ａは、タッチパネル付きモニタ端末９０から、外出者１１０の外出先情報を受け取る。また、外出情報検知部７０ａは、ＩＤ情報読出装置８０から、ＩＤ情報読出装置８０が読み取ったＩＤ情報を受け取る。外出情報検知部７０ａは、受け取った外出先情報とＩＤ情報とを、後述するコンピュータ６０に送信する。
【００１４】
また、部屋１３０ａおよび部屋１３０ｂには、ＩＤ情報読取装置２０ａおよびＩＤ情報読取装置２０ｂが、それぞれ設置されている。ＩＤ情報読取装置２０ａおよびＩＤ情報読取装置２０ｂは、それぞれ、部屋１３０ａ内および部屋１３０ｂ内を、無線通信有効範囲としている。従って、ＩＤ情報読取装置２０ａおよびＩＤ情報読取装置２０ｂは、それぞれ、部屋１３０ａ内および部屋１３０ｂ内に存在する各物品に設けられたＩＤ情報無線デバイス１０から、当該ＩＤ情報無線デバイス１０に記憶されたＩＤ情報を読み取る。図１の例では、現在、サイフ１５０が部屋１３０ａ内にあり、社員証１６０が部屋１３０ｂ内にある。従って、ＩＤ情報読取装置２０ａは、サイフ１５０に設けられたＩＤ情報無線デバイス１０ａからＩＤ情報を読み取り、ＩＤ情報読取装置２０ｂは、社員証１６０に設けられたＩＤ情報無線デバイス１０ｂからＩＤ情報を読み取る。
【００１５】
自宅の屋根裏１３０ｄには、コンピュータ６０が備え付けられている。但し、コンピュータ６０の設置場所は、屋根裏１３０ｄに限定されるものではなく、任意の場所に設置可能である。コンピュータ６０は、物品位置情報記録領域３０、持ち物リスト情報記録領域４０および持ち物格納位置情報記録領域５０を有するメモリを有している。コンピュータ６０は、外出情報検知部７０ａ、ＩＤ情報読取装置２０ａおよびＩＤ情報読取装置２０ｂとの間で通信を行う。当該通信は、無線通信であっても、有線通信であってもよい。
【００１６】
次に、図１に示された忘れ物通知システムの動作について説明する。図１は、外出者１１０が、例えばＩＤ情報無線デバイス１０ｃが取り付けられた鞄１４０と、ＩＤ情報無線デバイス１０ｄが取り付けられた携帯端末１７０とを所持して、これから外出しようとしている様子を示している。
【００１７】
外出者１１０は、外出する際に、玄関１２０で、タッチパネル付きモニタ端末９０を操作することにより、外出先を示す外出先情報を入力する。当該入力は、直接入力でもよいが、タッチパネル付きモニタ端末９０の画面上に外出先一覧を表示し、その中から外出者１１０が外出先を選択するようにしてもよい。当該外出先情報の入力により、タッチパネル付きモニタ端末９０から、外出情報検知部７０ａへ、外出先情報が送信される。これにより、外出情報検知部７０ａから、玄関１２０に設置されたＩＤ情報読出装置８０に、外出者１１０が外出する旨の通知信号が送信される。ＩＤ情報読出装置８０は、当該通知信号を受信すると、外出者１１０が所持している物品の鞄１４０および携帯端末１７０に取り付けられたＩＤ情報無線デバイス１０ｃ，１０ｄから、ＩＤ情報をそれぞれ無線で読み取る。
【００１８】
上述したように、部屋１３０ａに設置されたＩＤ情報読出装置２０ａは、部屋１３０ａを無線通信有効範囲としている。従って、ＩＤ情報読出装置２０ａは、ＩＤ情報無線デバイス１０が設けられた物品が部屋１３０ａ内に置かれている場合に、当該物品に取り付けられたＩＤ情報無線デバイス１０からＩＤ情報を読み取る。例えば、いま、図１に示すように、部屋１３０ａにおいて、サイフ１５０が置かれているとする。ＩＤ情報読出装置２０ａは、サイフ１５０に取り付けられたＩＤ情報無線デバイス１０ａを検知すると、ＩＤ情報無線デバイス１０ａからＩＤ情報を読み取る。読み取り後、ＩＤ情報読出装置２０ａは、「サイフ１５０」のＩＤ情報に関係付けて、「部屋１３０ａ」を示す区画の位置情報を、図２に示す「物品位置データベース」３１に記録する。
【００１９】
同様に、部屋１３０ｂに設置されたＩＤ情報読出装置２０ｂは、部屋１３０ｂを無線通信有効範囲としている。従って、ＩＤ情報読出装置２０ｂは、ＩＤ情報無線デバイス１０が設けられた物品が部屋１３０ｂに置かれている場合に、当該物品に取り付けられたＩＤ情報無線デバイス１０から、ＩＤ情報を読み取る。例えば、いま、図１に示すように、部屋１３０ｂにおいて、社員証１６０が置かれているとする。ＩＤ情報読出装置２０ｂは、社員証１６０に取り付けられたＩＤ情報無線デバイス１０ｂを検知すると、ＩＤ情報無線デバイス１０ｂからＩＤ情報を読み取る。読み取り後、ＩＤ情報読出装置２０ｂは、「社員証１６０」のＩＤ情報に関係付けて、「部屋１３０ｂ」を示す区画の位置情報を、図２に示す「物品位置データベース」３１に記録する。
【００２０】
このように、ＩＤ情報読取装置２０ａ，２０ｂは、それぞれ部屋１３０ａ，１３０ｂ内に置かれたＩＤ情報無線デバイス１０の存在を、常時、もしくは、一定周期で定期的に、確認し、「物品位置データベース」３１を更新するようになっている。この「物品位置データベース」３１は、屋根裏１３０ｄに備え付けられたコンピュータ６０の物品位置情報記録領域３０に記憶されている。「物品位置データベース」３１は、図２に示すように、物品のＩＤ情報ごとに、その物品の存在場所の位置情報を、関係付けて記憶している。なお、図２では、分かりやすいように、物品のＩＤ情報を「名称」と記載し、物品の位置情報を「存在場所」として、「サイフ」、「社員証」、「部屋１」、「部屋２」のように具体的に記載しているが、実際には、これらが識別できるコード（所定の桁数の数字、もしくは、所定の数の数字とアルファベットの組み合わせ）により記憶する。なお、ここで、「部屋１」は部屋１３０ａを示し、「部屋２」は部屋１３０ｂを示す。
【００２１】
また、持ち物リスト情報記録領域４０には、図３に示すような、外出先対応の「持ち物リストデータベース」４１が予め記録されている。「持ち物リストデータベース」４１は、図３に示すように、外出先を示す外出先情報（例えば「○○学校」という外出先を意味する外出先情報）ごとに、その外出先に持っていく必要がある持ち物リスト（例えば「鞄、サイフ、携帯端末」の持ち物リスト）が、関係付けられて記憶されている。持ち物リストは、当該持ち物リストに含まれる１以上の物品のＩＤ情報から構成されるＩＤ情報列から構成される。なお、図３では、分かりやすいように、外出先情報を、「○○学校」、「○○会社」のように具体的に記載しているが、実際には、これらが識別できるコード（所定の桁数の数字、もしくは、所定の数の数字とアルファベットの組み合わせ）により記憶する。
【００２２】
コンピュータ６０は、持ち物リスト情報記録領域４０の外出先対応の「持ち物リストデータベース」４１の持ち物リストと、ＩＤ情報読出装置８０で読み取られた外出者１１０が現在所持している物品のＩＤ情報とを照合する。その結果、忘れ物が検知された場合、すなわち、「持ち物リストデータベース」４１の持ち物リストの中に、外出者１１０が現在所持していない物品があると検知された場合、コンピュータ６０は、物品位置情報記録領域３０に記録された「物品位置データベース」３１から、その忘れ物がどの部屋にあるかを検索し、取得した忘れ物の位置情報、すなわち、どの部屋に忘れ物があるかを示す信号を、タッチパネル付きモニタ端末９０に無線で送信する。これにより、タッチパネル付きモニタ端末９０は、忘れ物がある旨のメッセージとともに、当該忘れ物の位置情報を表示する。当該表示により、外出者１１０は、忘れ物に気づくだけでなく、当該忘れ物の正確な位置情報を取得することができる。
【００２３】
以上の動作を図４のフローチャートを用いてさらに詳細に説明する。
図４に示すように、ステップＳ１において、外出者１１０が外出しようとするときに、外出者１１０は、タッチパネル付きモニタ端末９０の電源を入れる操作を行う。これにより、タッチパネル付きモニタ端末９０には、外出先情報を選択するためのアプリが立ち上がる。ステップＳ２において、外出者１１０が外出先をタッチパネル付きモニタ端末９０において選択すると、ステップＳ３において、タッチパネル付きモニタ端末９０が外出情報検知部７０ａへ外出先情報を送信する。これにより、ステップＳ４において、外出情報検知部７０ａが、ＩＤ情報読出装置８０に、外出者１１０が外出する旨の通知信号を送信する。これにより、ステップＳ５において、ＩＤ情報読出装置８０が、ＩＤ情報無線デバイス１０の情報を取得し、外出情報検知部７０ａに送信する。
【００２４】
次に、ステップＳ６において、外出情報検知部７０ａが、コンピュータ６０に、ＩＤ情報読出装置８０が読み出したＩＤ情報と、外出者１１０によって入力された外出先情報とを送信する。ステップＳ７において、コンピュータ６０が、持ち物リスト情報記録領域４０の「持ち物リストデータベース」４１から、外出先情報に対応した持ち物リストを取得する。次に、ステップＳ８において、コンピュータ６０が、取得した持ち物リストと、ＩＤ情報読出装置８０により取得したＩＤ情報とを照合する。照合した結果、持ち物リストとＩＤ情報が全て一致した場合、ステップＳ９に進む。一方、一致しない場合、すなわち、忘れ物があった場合は、ステップＳ１１に進む。
【００２５】
ステップＳ９においては、コンピュータ６０が、忘れ物は無い旨の信号をタッチパネル付きモニタ端末９０へ無線で送信し、ステップＳ１０において、タッチパネル付きモニタ端末９０が、忘れ物は無い旨のメッセージを表示する。
【００２６】
ステップＳ１１においては、コンピュータ６０が、物品位置情報記録領域３０に記録された「物品位置データベース」３１から、忘れ物がどの部屋にあるかを検索する。次に、ステップＳ１２において、コンピュータ６０が、忘れ物の位置情報をタッチパネル付きモニタ端末９０へ送信する。ステップＳ１３において、タッチパネル付きモニタ端末９０は、忘れ物がある旨のメッセージとともに、当該忘れ物の位置情報を表示し、警告音を鳴らす。
【００２７】
以上のように、本実施の形態においては、忘れ物通知システムが、各物品に設けられ、当該物品を識別するためのＩＤ情報を記憶するＩＤ情報無線デバイス１０と、複数の区画に区分された建物である自宅１内の各区画である部屋１３０ごとに設置され、対応する前記区画内を無線通信有効範囲とし、当該無線通信有効範囲内に存在する物品に設けられたＩＤ情報無線デバイス１０からＩＤ情報を読み出す第１のＩＤ情報読出装置としてのＩＤ情報読取装置２０ａ，２０ｂと、各ＩＤ情報読出装置２０ａ，２０ｂにより取得された物品のＩＤ情報を、ＩＤ情報読出装置２０ａ，２０ｂが設置されている区画の位置情報に関係付けて記憶する物品位置データベース３１と、外出者が外出時に所持すべき物品のＩＤ情報を持ち物リストとして記憶する持ち物リストデータベース４１と、建物である自宅１の玄関１２０がある部屋１３０ｃに設置され、外出者１１０の外出を検知する外出情報検知部７０ａと、玄関１２０がある部屋１３０ｃに設置され、外出情報検知部７０ａにより外出が検知された外出者１１０が所持する物品のＩＤ情報無線デバイス１０からＩＤ情報を読み出す第２のＩＤ情報読出装置としてのＩＤ情報読出装置８０と、ＩＤ情報読出装置８０により取得した物品のＩＤ情報と、持ち物リストデータベース４１の持ち物リストに含まれる物品のＩＤ情報とを照合することで、外出者１１０が所持していない物品を忘れ物として検出する忘れ物検出部、および、忘れ物検出部によって忘れ物として検出された物品が存在する区画の位置情報を、物品位置データベース３１から取得する位置情報取得部を構成しているコンピュータ６０と、位置情報取得部により取得した忘れ物として検出された物品が存在する区画の位置情報を表示する忘れ物位置通知部としてのタッチパネル付きモニタ端末９０とを備えている。
当該構成により、本実施の形態に係る忘れ物通知システムによれば、各部屋１３０を無線通信有効範囲とするＩＤ情報読出装置２０が、各部屋１３０内に存在する物品のＩＤ情報無線デバイス１０のＩＤ情報を読み取ることで、各物品の現在の位置情報を取得し、物品位置データベース３１を常に更新しておくことができる。そうして、外出者１１０の外出時に、玄関１２０に設置されたＩＤ情報読出装置８０によって、外出者１１０が所持する物品のＩＤ情報無線デバイス１０のＩＤ情報を読み取り、外出時に必要な持ち物リストを記憶してある持ち物リストデータベース４１の持ち物リストとＩＤ情報無線デバイス１０のＩＤ情報とを照合して忘れ物を検知し、忘れ物があれば、物品位置データベース３１から、当該物品の位置情報を検索する。そうして、忘れ物の位置情報を、タッチパネル付きモニタ端末９０上に表示し警告を鳴らすことにより、外出者１１０は忘れ物の場所を正確に認識することができる。
このように、本実施の形態によれば、外出者１１０が建物から外へ出ようとする時に、外出者１１０の忘れ物を検知するだけでなく、その忘れ物の存在場所を通知することが可能であるという効果を得ることができる。
【００２８】
また、本実施の形態においては、前記玄関が設置された区画に設置され、外出者１１０が外出先情報を入力する外出先入力部を、タッチパネル付きモニタ端末９０が構成しており、持ち物リストデータベース４１は、外出先の外出先情報ごとに、外出者１１０が外出時に所持すべき物品のＩＤ情報を持ち物リストとして記憶している。これにより、忘れ物検出部としてのコンピュータ６０は、外出先入力部に入力された外出先情報に対応する持ち物リストを、持ち物リストデータベース４１から取得し、ＩＤ情報読出装置８０により取得した物品のＩＤ情報と、当該持ち物リストの物品のＩＤ情報とを照合することで、外出者１１０が所持していない物品を忘れ物として検出するようにした。
これにより、外出先ごとに持ち物リストを設定するようにしたので、外出先に対応した、きめ細かい忘れ物のチェックが可能となる。
【００２９】
なお、本実施の形態においては、コンピュータ６０の持ち物格納位置情報記録領域５０を設けると説明したが、当該領域は必ずしも設ける必要はなく、必要に応じて設けるようにすればよい。持ち物格納位置情報記録領域５０には、各物品ごとに、そのＩＤ情報と当該物品の指定された格納場所を示す持ち物格納位置情報とを関係付けて記憶する持ち物格納位置データベース（図示せず）が格納されている。以下に、持ち物格納位置情報記録領域５０を設けた場合の動作について説明する。
外出者１１０が物品を格納した際、コンピュータ６０が、各ＩＤ情報読出装置２０ａ，２０ｂにより取得された物品のＩＤ情報と、持ち物格納位置情報記録領域５０の持ち物格納位置データベースとを比較する。このとき、各ＩＤ情報読出装置２０ａ，２０ｂからのＩＤ情報には、各ＩＤ情報読出装置２０ａ，２０ｂが設置されている区画を示す位置情報が付随している。従って、コンピュータ６０は、各ＩＤ情報読出装置２０ａ，２０ｂによって得られたＩＤ情報および位置情報を、持ち物格納位置データベースのＩＤ情報と持ち物格納位置情報と比較する。比較の結果、コンピュータ６０が、当該物品が持ち物格納位置情報と異なる位置に置かれたことを検出すると、格納位置が異なることを示す信号をタッチパネル付きモニタ端末９０へ送信し、それにより、タッチパネル付きモニタ端末９０が警告音を鳴らす。こうして、タッチパネル付きモニタ端末９０は、格納位置が異なる旨のメッセージとともに、当該異なる位置に格納された物品の現在の位置情報を表示する。当該表示により。外出者１１０は、格納位置を間違えたことに気づくだけでなく、当該物品の現在の正確な位置情報を取得することができる。
【００３０】
なお、上記の説明においては、タッチパネル付きモニタ端末９０の画面上に外出先一覧を表示し、その中から外出者１１０が外出先を選択すると説明した。しかしながら、その場合に限らず、タッチパネル付きモニタ端末９０に、外出者１１０が予めスケジュールを登録しておくようにしてもよい。そうすることで、タッチパネル付きモニタ端末９０が、当日のスケジュールに基づいて、外出者１１０の外出先をタッチパネル付きモニタ端末９０に表示し、外出者１１０に「確認」ボタンまたは「その他」ボタンを押すように促すようにしてもよい。これにより、外出者１１０の操作がより容易になる。なお、「その他」ボタンが押された場合には、タッチパネル付きモニタ端末９０の画面上に外出先一覧を表示し、その中から外出者１１０が外出先を選択するようにすればよい。
【００３１】
実施の形態２．
図５は、本発明を実施するための実施の形態２における忘れ物通知システムの概要を説明するシステム概略構成図である。なお、「物品位置データベース」３１が、コンピュータ６０の物品位置情報記録領域３０に予め設けられているのは、実施の形態１と同様である。
【００３２】
図５に示すように、本実施の形態においては、玄関１２０がある部屋１３０ｃに、図１のタッチパネル付きモニタ端末９０と共に、顔認識を行うためのカメラ１００が設けられた姿見（鏡）が設置されている。なお、姿見は必ずしも設置する必要はなく、カメラ１００だけでもよい。当該カメラ１００は、外出者１１０の顔認識を行って、外出者１１０が誰であるかを特定することができる。他の構成については、実施の形態１と同じであるため、ここでは、その説明を省略する。
【００３３】
図５において、外出時において、玄関１２０に設置された姿見にとりつけたられカメラ１００により、外出者１１０の顔の顔認識処理が行われる。顔認識処理は、自宅１に居住している居住者の顔情報を予め登録しておき、登録されている当該顔情報と、カメラ１００で撮影した外出者１１０の顔の画像とを照合して行う。照合の結果、一致すると判定した場合には、外出者１１０が誰であるかが特定される。一方、一致しない場合には、外出者１１０が誰であるかが特定できないので、忘れ物検知は行われない。
【００３４】
上記顔認識処理により、カメラ１００から、外出情報検知部７０ａへ、これから外出しようとする外出者１１０が誰かを示す外出者情報が送信される。外出者情報には、例えば氏名または個人ＩＤ情報などの固有識別情報が含まれる。
【００３５】
なお、本実施の形態では、図６に示すような、外出者対応の「持ち物リストデータベース」４２が、予め、コンピュータ６０の持ち物リスト情報記憶領域４０に記憶されている。「持ち物リストデータベース」４２には、顔認識が可能な登録されている外出者１１０ごとに、当該外出者１１０が特定できる個人ＩＤ情報と、当該外出者１１０専用の持ち物リストとが関係付けられて記憶されている。なお、図６では、分かりやすいように、個人ＩＤ情報を「氏名」として記載しているが、実際には、外出者１１０が特定できるコード（所定の桁数の数字、もしくは、所定の数の数字とアルファベットの組み合わせ）から構成された個人ＩＤ情報を記憶している。また、持ち物リストは、実施の形態１と同様に、当該持ち物リストに含まれる１以上の物品のＩＤ情報から構成されるＩＤ情報列から構成されている。
【００３６】
外出情報検知部７０ａは、カメラ１００から外出者情報を受信すると、玄関１２０に設置されたＩＤ情報読出装置８０に、外出者１１０の外出を通知する通知信号を送信する。これにより、ＩＤ情報読出装置８０が、外出者１１０の現在の所持品に取り付けられたＩＤ情報無線デバイス１０のＩＤ情報を読み取り、外出情報検知部７０ａを介して、コンピュータ６０に送信する。コンピュータ６０では、持ち物リスト情報記録領域４０の外出者対応の「持ち物リストデータベース」４２と、ＩＤ情報読出装置８０により読み取られた現在の所持品のＩＤ情報とが照合される。
【００３７】
これにより、忘れ物が検知された場合、実施の形態１と同様に、コンピュータ６０は、物品位置情報記録領域３０に記録された「物品位置データベース」３１からその忘れ物がどの部屋にあるかを検索し、取得した忘れ物の位置情報、すなわち、どの部屋に忘れ物があるかをタッチパネル付きモニタ端末９０に無線で送信する。こうして、タッチパネル付きモニタ端末９０上に、忘れ物がある旨のメッセージとともに、当該忘れ物の位置情報とを表示することにより、外出者１１０は、忘れ物に気づくだけでなく、忘れ物の正確な位置情報を取得することができる。
【００３８】
以上の動作を図７のフローチャートを用いてさらに詳細に説明する。
ステップＳ１１において、外出者１１０が外出しようとするときに、タッチパネル付きモニタ端末９０に、外出者によって、電源が入れられる操作がなされる。ステップＳ１２において、外出者１１０が姿見の前に立つと、ステップＳ１３において、カメラ１００が外出者１１０の顔画像を取得し、外出者１１０の顔認証を行う。顔認識が可能な登録されている外出者１１０であれば、ステップＳ１４において、カメラ１００が、外出情報検知部７０ａへ顔認証結果を送信し、ステップＳ１５において、外出情報検知部７０ａが、ＩＤ情報読出装置８０に外出を通知する。
【００３９】
ステップＳ１６において、ＩＤ情報読み取り部８０が、ＩＤ情報無線デバイス１０のＩＤ情報を取得する。ステップＳ１７において、外出情報検知部７０ａが、コンピュータ６０に、ＩＤ情報読出装置８０が読み出したＩＤ情報と、カメラ１００の顔認証結果により取得した外出者情報とを送信する。ステップＳ１８において、コンピュータ６０が、持ち物リスト情報記録領域４０の外出者対応の「持ち物リストデータベース」４２から、外出者情報に対応した持ち物リストを取得し、ステップＳ１９において、持ち物リストとＩＤ情報読み取り部８０によって取得したＩＤ情報とを照合する。照合した結果、持ち物リストとＩＤ情報が全て一致した場合、ステップＳ２０において、コンピュータ６０は、忘れ物は無い旨の信号をタッチパネル付きモニタ端末９０へ無線で送信し、ステップＳ２１において、タッチパネル付きモニタ端末９０が忘れ物は無い旨のメッセージを表示する。
【００４０】
ステップＳ１９の判定の結果、持ち物リストとＩＤ情報が一致しない場合、ステップＳ２２において、コンピュータ６０が、物品位置情報記録領域３０に記録された「物品位置データベース」３１から、忘れ物がどの部屋にあるかを検索する。ステップＳ１３において、コンピュータ６０は、忘れ物の位置情報をタッチパネル付きモニタ端末９０へ送信する。ステップＳ２４において、タッチパネル付きモニタ端末９０が、忘れ物がある旨のメッセージとともに、当該忘れ物の位置情報を表示し、警告音を鳴らす。
【００４１】
以上のように、本実施の形態においても、上記の実施の形態１と同様に、外出者１１０が建物から外へ出ようとする時に、外出者１１０の忘れ物を検知するだけでなく、その忘れ物の存在場所を通知することが可能であるという効果を得ることができる。
【００４２】
さらに、本実施の形態においては、玄関１２０が設置された区画に設置され、外出者１１０の顔認識を行って外出者１１０を特定するカメラ１００をさらに備え、持ち物リストデータベース４２が、外出者１１０の個人ＩＤ情報ごとに、外出者１１０が外出時に所持すべき物品のＩＤ情報を持ち物リストとして記憶している。そうして、忘れ物検出部としてのコンピュータ６０が、カメラ１００の顔認識により特定された外出者１１０の個人ＩＤ情報に対応する持ち物リストを持ち物リストデータベース４２から取得し、ＩＤ情報読出装置８０により取得した物品のＩＤ情報と、当該持ち物リストの物品のＩＤ情報とを照合することで、外出者１１０が所持していない物品を忘れ物として検出するようにした。
これにより、外出者ごとに持ち物リストを設定しておき、かつ、カメラ１００により自動的に外出者が誰であるかを特定することができるようにしたので、外出者に対応した、きめ細かい忘れ物のチェックが可能となる。
【００４３】
実施の形態３．
図８は、本発明を実施するための実施の形態３に係る忘れ物通知システムの概要を説明するシステム概略構成図である。なお、「物品位置データベース」３１が、コンピュータ６０の物品位置情報記録領域３０に予め記憶されているのは、実施の形態１と同様である。
【００４４】
本実施の形態においては、実施の形態１（図１参照）および実施の形態２（図５参照）で示した外出情報検知部７０ａ（ＩＤ情報読出不可）の代わりに、外出情報検知部７０ｂ（ＩＤ情報読出可）が設けられている。外出情報検知部７０ｂは、外出情報検知部７０ａの機能に加えて、さらに、ＩＤ情報無線デバイス１０からＩＤ情報を読み取ることができる機能を備えている。以下、詳細に説明する。
【００４５】
本実施の形態においても、外出者１１０の各物品にＩＤ情報無線デバイス１０が設けられている点は、実施の形態１，２と同じである。しかしながら、本実施の形態においては、外出者１１０の外出先が特定できるキーとなる物品が、外出先ごとに、外出情報検知部７０ｂおよび「持ち物リストデータベース」４３に予め登録されている点が、実施の形態１，２と異なる。キーとなる物品としては、例えば、作業着や通勤用の靴や鞄など、特定の外出先で使用するもので、当該物品により外出先が特定できるキーになり得る物品が選択される。なお、具体例を挙げて説明すると、例えば、外出先が「○○学校」の場合は、キーとなる物品を「靴（学生ローファー）」とし、外出先が「○○会社」の場合は、キーとなる物品を「作業着」と設定しておく。当該キーとなる所持品には、ＩＤ情報無線デバイス１０ｅが取り付けられる。こうすることで、外出者１１０が、これらのキーとなる物品を所持していることを検知すれば、それにより、外出先を特定することができる。こうして、本実施の形態においては、外出情報検知部７０ｂにより、当該キーとなる所持品のＩＤ情報無線デバイス１０のＩＤ情報を取得することで、外出者１１０の外出先を特定する。
【００４６】
図８において、外出情報検知部７０ｂは、キーとなる所持品に取り付けられたＩＤ情報無線デバイス１０のＩＤ情報を取得することにより、外出者１１０の外出先を検知する。すなわち、本実施の形態においては、キーとなる所持品に取り付けられたＩＤ情報無線デバイス１０のＩＤ情報が外出先情報となる。図８の例では、キーとなる所持品が外出者１１０の靴であり、当該靴には、ＩＤ情報無線デバイス１０ｅが設けられている。従って、ＩＤ情報読出装置８０は、ＩＤ情報無線デバイス１０ｅから、ＩＤ情報を取得する。
【００４７】
本実施の形態においては、図９に示すような、キー物品対応の「持ち物リストデータベース」４３が、予め、持ち物リスト情報記録領域４０に記録されている。キー物品対応の「持ち物リストデータベース」４３においては、外出先を特定する際のキーとなる物品（例えば靴）のＩＤ情報と、それに対応するキー物品対応の持ち物リスト（靴に対しては例えば「鞄、サイフ、携帯端末」）とが関係付けられて記憶されている。持ち物リストは、実施の形態１および２と同様に、当該持ち物リストに含まれる１以上の物品のＩＤ情報から構成されるＩＤ情報列から構成されている。
【００４８】
外出情報検知部７０ｂは、外出者１１０の外出先を検知すると、玄関１２０に設置されたＩＤ情報読出装置８０に、外出者１１０の外出を通知する。これにより、ＩＤ情報読出装置８０は、外出者１１０の現在の所持品に取り付けられたＩＤ情報無線デバイス１０のＩＤ情報を無線で読み取り、コンピュータ６０に送信する。コンピュータ６０では、キーとなる所持品と関係付けられて予め登録された持ち物リスト情報記録領域４０のキー物品対応の「持ち物リストデータベース」４３から、キーとなる物品に対応する持ち物リストを取得し、ＩＤ情報読出し装置８０で読み取られた現在の所持物品のＩＤ情報と照合する。その結果、外出者１１０は、自身は外出時に特に意識することなく、忘れ物の有無を検知することができる。忘れ物が検知された場合、実施の形態１と同様に、コンピュータ６０は、物品位置情報記録領域３０に記録された「物品位置データベース」３１から、その忘れ物がどの部屋にあるかを検索し、取得した忘れ物の位置情報、すなわち、どの部屋に忘れ物があるかを、タッチパネル付きモニタ端末９０に無線で送信する。こうして、タッチパネル付きモニタ端末９０上に、当該忘れ物がある旨のメッセージと当該忘れ物の位置とを表示することにより、外出者１１０は、忘れ物に気づくだけでなく、忘れ物の正確な位置情報を取得することができる。
【００４９】
以上の動作を図１０のフローチャートを用いてさらに詳細に説明する。
ステップＳ３１において、外出者１１０が外出しようとするときに、タッチパネル付きモニタ端末９０に、外出者１１０は、電源を入れる操作を行う。ステップＳ３２において、外出情報検知部７０ｂにより、所持品に取り付けられたＩＤ情報無線デバイス１０のＩＤ情報を取得する。ステップＳ３３において、外出情報検知部７０ｂが、取得したＩＤ情報の中に、キーとなる物品に対応するＩＤ情報と一致するものがあった場合に、外出者１１０の外出とその外出先とを検出する。ステップＳ３４において、外出情報検知部７０ｂは、ＩＤ情報読出装置８０に、外出者１１０の外出を通知する。ステップＳ３５において、ＩＤ情報読出装置８０が、外出者１１０が現在所持している所持品に設けられているＩＤ情報無線デバイス１０の情報を取得し、外出情報検知部７０ｂに送信する。ステップＳ３６において、外出情報検知部７０ｂが、コンピュータ６０に、ＩＤ情報読出装置８０が読み出したＩＤ情報と、ステップＳ３３の照合で検知した外出先情報とを送信する。ステップＳ３７において、コンピュータ６０が、持ち物リスト情報記録領域４０の「持ち物リストデータベース」４３から、外出先を特定する際のキーとなる物品に対応した持ち物リストを取得し、ステップＳ３８において、持ち物リストと、ＩＤ情報読出装置８０により取得したＩＤ情報とを照合する。照合した結果、持ち物リストとＩＤ情報が全て一致した場合、ステップＳ３９において、コンピュータ６０が、忘れ物は無い旨の信号をタッチパネル付きモニタ端末９０へ無線で送信し、ステップＳ４０において、タッチパネル付きモニタ端末９０が、忘れ物は無い旨のメッセージを表示する。
【００５０】
一方、持ち物リストとＩＤ情報とが一致しない場合、ステップＳ４１において、コンピュータ６０が、物品位置情報記録領域３０に記録された「物品位置データベース」３１から、忘れ物がどの部屋にあるかを検索する。次に、ステップＳ４２において、コンピュータ６０が、忘れ物の位置情報をタッチパネル付きモニタ端末９０へ送信する。ステップＳ４３において、タッチパネル付きモニタ端末９０が、忘れ物がある旨のメッセージと、当該忘れ物の位置情報とを表示し、警告音を鳴らす。
【００５１】
以上のように、本実施の形態においても、上記の実施の形態１と同様に、外出者１１０が建物から外へ出ようとする時に、外出者１１０の忘れ物を検知するだけでなく、その忘れ物の存在場所を通知することが可能であるという効果を得ることができる。
【００５２】
さらに、本実施の形態においては、玄関１２０のある区画に設置され、外出者１１０の外出を検知するとともに、外出が検知された外出者１１０が所持する物品の中に外出先を特定するためのキーとして予め登録されている物品がある場合に、当該キーとなる物品に設けられたＩＤ情報無線デバイス１０からＩＤ情報を読み出す第３のＩＤ情報読出装置としての外出情報検知部７０ｂを備え、持ち物リストデータベース４３が、外出先を特定するためのキーとして予め登録されている物品のＩＤ情報ごとに、外出者１１０が外出時に所持すべき物品のＩＤ情報を持ち物リストとして記憶している。そうして、忘れ物検出部としてのコンピュータ６０が、第３のＩＤ情報読出装置である外出情報検知部７０ｂにより取得したキーとなる物品のＩＤ情報に対応する持ち物リストを持ち物リストデータベース４３から取得し、ＩＤ情報読出装置８０により取得した物品のＩＤ情報と、当該持ち物リストの物品のＩＤ情報とを照合することで、外出者１１０が所持していない物品を忘れ物として検出するようにした。
これにより、外出先ごとに持ち物リストを設定しておき、かつ、外出情報検知部７０ｂにより自動的に外出先がどこであるかを特定することができるようにしたので、外出先に対応した、きめ細かい忘れ物のチェックが可能となる。
【符号の説明】
【００５３】
１０  ＩＤ情報無線デバイス、２０  ＩＤ情報読出装置、３０  物品位置情報記録領域、４０  持ち物リスト情報記録領域、５０  持ち物格納位置情報記録領域、６０  コンピュータ、７０ａ  外出情報検知部、７０ｂ  外出情報検知部、８０  ＩＤ情報読出装置、９０  タッチパネル付きモニタ端末、１００  カメラ、１１０  外出者、１２０  玄関、１３０ａ，１３０ｂ，１３０ｃ  部屋、１４０  鞄、１５０  サイフ、１６０  社員証、１７０  携帯端末、１８０  帽子。
【図１】
2017004196.tif 000003
【図２】
2017004196.tif 000004
【図３】
2017004196.tif 000005
【図４】
2017004196.tif 000006
【図５】
2017004196.tif 000007
【図６】
2017004196.tif 000008
【図７】
2017004196.tif 000009
【図８】
2017004196.tif 000010
【図９】
2017004196.tif 000011
【図１０】
2017004196.tif 000012
【手続補正書】
【提出日】平成28年8月25日(2016.8.25)
【手続補正１】
【補正対象書類名】明細書
【補正対象項目名】０００８
【補正方法】変更
【補正の内容】
【０００８】
この発明は、各物品に設けられ、前記物品を識別するためのＩＤ情報を記憶するＩＤ情報無線デバイスと、複数の区画に区分された建物内の各区画ごとに設置され、対応する前記区画内を無線通信有効範囲とし、当該無線通信有効範囲内に存在する前記物品に設けられた前記ＩＤ情報無線デバイスから前記ＩＤ情報を読み出す第１のＩＤ情報読出装置と、各前記第１のＩＤ情報読出装置により取得された前記物品の前記ＩＤ情報を、その第１のＩＤ情報読出装置が設置されている区画の位置情報に関係付けて記憶する物品位置データベースと、外出者が外出時に所持すべき物品のＩＤ情報を持ち物リストとして記憶する持ち物リストデータベースと、前記建物の玄関が設置された区画に設置され、前記外出者の外出を検知する外出情報検知部と、前記玄関が設置された区画に設置され、前記外出情報検知部により外出が検知された前記外出者が所持する物品の前記ＩＤ情報無線デバイスから前記ＩＤ情報を読み出す、第２のＩＤ情報読出装置と、前記第２のＩＤ情報読出装置により取得した前記物品の前記ＩＤ情報と、前記持ち物リストデータベースの前記持ち物リストの前記物品のＩＤ情報とを照合することで、前記外出者が所持していない物品を忘れ物として検出する忘れ物検出部と、前記忘れ物検出部によって忘れ物として検出された前記物品が存在する前記区画の位置情報を、前記物品位置データベースから取得する位置情報取得部と、前記位置情報取得部により取得した前記忘れ物として検出された前記物品が存在する前記区画の位置情報を表示する忘れ物位置通知部と、前記玄関が設置された区画に設置され、前記外出者が外出先情報を入力する外出先入力部とを備え、前記持ち物リストデータベースは、外出先の外出先情報ごとに、前記外出者が外出時に所持すべき物品のＩＤ情報を前記持ち物リストとして記憶しており、前記忘れ物検出部は、前記外出先入力部に入力された前記外出先情報に対応する前記持ち物リストを、前記持ち物リストデータベースから取得し、前記第２のＩＤ情報読出装置により取得した前記物品の前記ＩＤ情報と、当該持ち物リストの前記物品のＩＤ情報とを照合することで、前記外出者が所持していない物品を忘れ物として検出する、忘れ物通知システムである。
【手続補正２】
【補正対象書類名】特許請求の範囲
【補正対象項目名】全文
【補正方法】変更
【補正の内容】
【特許請求の範囲】
【請求項１】
各物品に設けられ、前記物品を識別するためのＩＤ情報を記憶するＩＤ情報無線デバイスと、
複数の区画に区分された建物内の各区画ごとに設置され、対応する前記区画内を無線通信有効範囲とし、当該無線通信有効範囲内に存在する前記物品に設けられた前記ＩＤ情報無線デバイスから前記ＩＤ情報を読み出す第１のＩＤ情報読出装置と、
各前記第１のＩＤ情報読出装置により取得された前記物品の前記ＩＤ情報を、その第１のＩＤ情報読出装置が設置されている区画の位置情報に関係付けて記憶する物品位置データベースと、
外出者が外出時に所持すべき物品のＩＤ情報を持ち物リストとして記憶する持ち物リストデータベースと、
前記建物の玄関が設置された区画に設置され、前記外出者の外出を検知する外出情報検知部と、
前記玄関が設置された区画に設置され、前記外出情報検知部により外出が検知された前記外出者が所持する物品の前記ＩＤ情報無線デバイスから前記ＩＤ情報を読み出す、第２のＩＤ情報読出装置と、
前記第２のＩＤ情報読出装置により取得した前記物品の前記ＩＤ情報と、前記持ち物リストデータベースの前記持ち物リストの前記物品のＩＤ情報とを照合することで、前記外出者が所持していない物品を忘れ物として検出する忘れ物検出部と、
前記忘れ物検出部によって忘れ物として検出された前記物品が存在する前記区画の位置情報を、前記物品位置データベースから取得する位置情報取得部と、
前記位置情報取得部により取得した前記忘れ物として検出された前記物品が存在する前記区画の位置情報を表示する忘れ物位置通知部と、
前記玄関が設置された区画に設置され、前記外出者が外出先情報を入力する外出先入力部と
を備え、
前記持ち物リストデータベースは、外出先の外出先情報ごとに、前記外出者が外出時に所持すべき物品のＩＤ情報を前記持ち物リストとして記憶しており、
前記忘れ物検出部は、前記外出先入力部に入力された前記外出先情報に対応する前記持ち物リストを、前記持ち物リストデータベースから取得し、前記第２のＩＤ情報読出装置により取得した前記物品の前記ＩＤ情報と、当該持ち物リストの前記物品のＩＤ情報とを照合することで、前記外出者が所持していない物品を忘れ物として検出する、
忘れ物通知システム。
【請求項２】
前記玄関が設置された区画に設置され、前記外出者の顔認識を行って前記外出者を特定するカメラをさらに備え、
前記持ち物リストデータベースは、外出者の個人ＩＤ情報ごとに、前記外出者が外出時に所持すべき物品のＩＤ情報を前記持ち物リストとして記憶しており、
前記忘れ物検出部は、前記カメラの顔認識により特定された前記外出者の個人ＩＤ情報に対応する前記持ち物リストを、前記持ち物リストデータベースから取得し、前記第２のＩＤ情報読出装置により取得した前記物品の前記ＩＤ情報と、当該持ち物リストの前記物品のＩＤ情報とを照合することで、前記外出者が所持していない物品を忘れ物として検出する
請求項１に記載の忘れ物通知システム。
【請求項３】
前記玄関が設置された区画に設置され、前記外出情報検知部により外出が検知された前記外出者が所持する物品の中に外出先を特定するためのキーとして予め登録されている物品がある場合に、当該キーとなる物品に設けられた前記ＩＤ情報無線デバイスから前記ＩＤ情報を読み出す第３のＩＤ情報読出装置を備え、
前記持ち物リストデータベースは、前記外出先を特定するためのキーとして予め登録されている前記物品のＩＤ情報ごとに、前記外出者が外出時に所持すべき物品のＩＤ情報を前記持ち物リストとして記憶しており、
前記忘れ物検出部は、前記第３のＩＤ情報読出装置により取得した前記キーとなる前記物品のＩＤ情報に対応する前記持ち物リストを、前記持ち物リストデータベースから取得し、前記第２のＩＤ情報読出装置により取得した前記物品の前記ＩＤ情報と、当該持ち物リストの前記物品のＩＤ情報とを照合することで、前記外出者が所持していない物品を忘れ物として検出する
請求項１に記載の忘れ物通知システム。